(57)【要約】【課題】  テレビ等の放送視聴中に着信等による一時的に視聴を停止する場合でも、一時停止中の情報の欠落を防ぐことが可能な携帯情報端末を提供する。【解決手段】  経路切替手段１８は制御部１２から放送視聴中の一時停止であるか否かの情報を受取り、放送受信部１３からの信号を表示報知部１４に表示、報知するか、または録画録音／再生装置１６にて記録するかの経路を切替える。放送受信部１３はテレビ等の放送電波の受信を行い、一時停止中以外は、経路切替手段１８を介して表示報知部１４にテレビ等の放送受信を表示、報知し、一時停止中は、経路切替手段１８を介して録画録音／再生装置１６に記録を行う。録画録音／再生装置１６は制御部１２からの指示にしたがってテレビ等の放送受信の録画録音及び再生を行い、再生時には経路切替手段１８を介して表示報知部１４に再生データの表示、報知を行う。【選択図】      図１                                                  
2005123756.tif 000002
【特許請求の範囲】
【請求項１】
放送映像及び音声の受信及び表示を行う機能を含む携帯情報端末であって、
前記放送映像及び音声の録画録音を行う録画録音／再生装置と、前記放送映像及び音声の一時的な視聴の停止中にその放送映像及び音声を前記録画録音／再生装置に録画録音させかつ前記一時的な視聴の停止が解除された時点でその録画録音した放送映像及び音声を再生させる手段とを有することを特徴とする携帯情報端末。
【請求項２】
放送映像及び音声の受信及び表示を行う機能を含む携帯情報端末であって、
前記放送映像及び音声の録画録音を行う録画録音／再生装置と、前記放送映像及び音声の一時的な視聴の停止を判定する判定手段と、前記判定手段の判定結果に応じて前記放送映像及び音声を表示させるための経路と前記放送映像及び音声を前記録画録音／再生装置に録画録音させるための経路とを切替える切替手段とを有し、
前記一時的な視聴の停止中の放送映像及び音声を前記録画録音／再生装置に録画録音し、前記一時的な視聴の停止が解除された時点でその録画録音した放送映像及び音声を再生することを特徴とする携帯情報端末。
【請求項３】
放送映像及び音声の受信及び表示を行う機能を含む携帯情報端末であって、
前記放送映像及び音声の録画録音を常時行う録画録音／再生装置を有し、
前記放送映像及び音声の一時的な視聴の停止が解除された時点で前記録画録音／再生装置に録画録音された放送映像及び音声を停止時点から再生させることを特徴とする携帯情報端末。
【請求項４】
放送映像及び音声の受信及び表示を行う機能を含む携帯情報端末であって、
前記放送映像及び音声の録画録音を行う常時録画録音／再生装置と、前記放送映像及び音声の一時的な視聴の停止を判定する判定手段と、前記判定手段の判定結果に応じて前記録画録音／再生装置に録画録音された放送映像及び音声を表示させるための経路に切替える切替手段とを有し、
前記一時的な視聴の停止が解除された時点で前記録画録音／再生装置に録画録音された放送映像及び音声を停止時点から再生させることを特徴とする携帯情報端末。
【請求項５】
放送映像及び音声の受信及び表示を行う機能を含む携帯情報端末の放送録画録音方法であって、前記携帯情報端末側に、前記放送映像及び音声の一時的な視聴の停止中にその放送映像及び音声を録画録音／再生装置に録画録音させるステップと、前記一時的な視聴の停止が解除された時点でその録画録音した放送映像及び音声を再生させるステップとを有することを特徴とする放送録画録音方法。
【請求項６】
放送映像及び音声の受信及び表示を行う機能を含む携帯情報端末の放送録画録音方法であって、前記携帯情報端末側に、前記放送映像及び音声の一時的な視聴の停止を判定するステップと、その判定結果に応じて前記放送映像及び音声を表示させるための経路と前記放送映像及び音声を録画録音／再生装置に録画録音させるための経路とを切替えるステップとを有し、
前記一時的な視聴の停止中の放送映像及び音声を前記録画録音／再生装置に録画録音し、前記一時的な視聴の停止が解除された時点でその録画録音した放送映像及び音声を再生することを特徴とする放送録画録音方法。
【請求項７】
放送映像及び音声の受信及び表示を行う機能を含む携帯情報端末の放送録画録音方法であって、前記携帯情報端末側に、前記放送映像及び音声の録画録音／再生装置への録画録音を常時行うステップと、前記放送映像及び音声の一時的な視聴の停止が解除された時点で前記録画録音／再生装置に録画録音された放送映像及び音声を停止時点から再生させるステップとを有することを特徴とする放送録画録音方法。
【請求項８】
放送映像及び音声の受信及び表示を行う機能を含む携帯情報端末の放送録画録音方法であって、前記携帯情報端末側に、前記放送映像及び音声の録画録音／再生装置への録画録音を常時行うステップと、前記放送映像及び音声の一時的な視聴の停止を判定するステップと、その判定結果に応じて前記録画録音／再生装置に録画録音された放送映像及び音声を表示させるための経路に切替えるステップとを有し、前記一時的な視聴の停止が解除された時点で前記録画録音／再生装置に録画録音された放送映像及び音声を停止時点から再生させることを特徴とする放送録画録音方法。
【請求項９】
放送映像及び音声の受信及び表示を行う機能を含む携帯情報端末の放送録画録音方法のプログラムであって、前記携帯情報端末のコンピュータに、前記放送映像及び音声の一時的な視聴の停止中にその放送映像及び音声を録画録音／再生装置に録画録音させる処理と、前記一時的な視聴の停止が解除された時点でその録画録音した放送映像及び音声を再生させる処理とを実行させるためのプログラム。
【請求項１０】
放送映像及び音声の受信及び表示を行う機能を含む携帯情報端末の放送録画録音方法であって、前記携帯情報端末のコンピュータに、前記放送映像及び音声の一時的な視聴の停止を判定する処理と、その判定結果に応じて前記放送映像及び音声を表示させるための経路と前記放送映像及び音声を録画録音／再生装置に録画録音させるための経路とを切替える処理とを実行させ、前記一時的な視聴の停止中の放送映像及び音声を前記録画録音／再生装置に録画録音させ、前記一時的な視聴の停止が解除された時点でその録画録音した放送映像及び音声を再生させるためのプログラム。
【請求項１１】
放送映像及び音声の受信及び表示を行う機能を含む携帯情報端末の放送録画録音方法であって、前記携帯情報端末のコンピュータに、前記放送映像及び音声の録画録音／再生装置への録画録音を常時行う処理と、前記放送映像及び音声の一時的な視聴の停止が解除された時点で前記録画録音／再生装置に録画録音された放送映像及び音声を停止時点から再生させる処理とを実行させるためのプログラム。
【請求項１２】
放送映像及び音声の受信及び表示を行う機能を含む携帯情報端末の放送録画録音方法のプログラムであって、前記携帯情報端末のコンピュータに、前記放送映像及び音声の録画録音／再生装置への録画録音を常時行う処理と、前記放送映像及び音声の一時的な視聴の停止を判定する処理と、その判定結果に応じて前記録画録音／再生装置に録画録音された放送映像及び音声を表示させるための経路に切替える処理とを実行させ、前記一時的な視聴の停止が解除された時点で前記録画録音／再生装置に録画録音された放送映像及び音声を停止時点から再生させるためのプログラム。
【発明の詳細な説明】
【技術分野】
【０００１】
本発明は携帯情報端末及びそれに用いる放送録画録音方法並びにそのプログラムに関し、特に携帯移動電話機におけるテレビ等の放送の録画録音の方法に関する。
【背景技術】
【０００２】
従来、携帯移動電話機においては、図７に示すような構成となっている。図７において、携帯移動電話機３は無線送受信部３１と、制御部３２と、放送受信部３３と、表示報知部３４と、使用者操作部３５と、録画録音／再生装置３６と、音声通話装置３７とから構成されている。
【０００３】
無線送受信部３１は携帯移動電話機３の無線データの送受信を行い、制御部３２は無線送受信部３１を使用して携帯移動電話機３の通信を制御する。音声通話装置３７は制御部３２及び無線送受信部３１を介して相手先と通信することによって、音声通話を実現する。
【０００４】
使用者操作部３５は使用者の操作を制御部３２に伝えることによって、携帯移動電話機３としての機能である音声通話、テレビ等の放送受信、録画録音それぞれの機能を実現する。放送受信部３３はテレビ等の放送電波の受信を行い、制御部３２を介して表示報知部３４に表示する。録画録音／再生装置３６は制御部３２を介して放送受信部３３からの経路を開くことによって、受信映像の録画録音を行うことができ、また録画録音した情報を制御部３２を介して表示報知部３４に表示する。
【０００５】
【特許文献１】特開２００２−１８５９００号公報
【発明の開示】
【発明が解決しようとする課題】
【０００６】
しかしながら、上述した従来の携帯移動電話機では、テレビ等の放送視聴中に、着信等による一時的な視聴停止があった場合、放送受信が中断されるため、一時停止解除後のテレビ等の放送受信再開までに、情報の欠落が起きるという問題がある。
【０００７】
そこで、本発明の目的は上記の問題点を解消し、テレビ等の放送視聴中に着信等による一時的に視聴を停止する場合でも、一時停止中の情報の欠落を防ぐことができる携帯情報端末及びそれに用いる放送録画録音方法並びにそのプログラムを提供することにある。
【課題を解決するための手段】
【０００８】
本発明による第１の携帯情報端末は、放送映像及び音声の受信及び表示を行う機能を含む携帯情報端末であって、
前記放送映像及び音声の録画録音を行う録画録音／再生装置と、前記放送映像及び音声の一時的な視聴の停止中にその放送映像及び音声を前記録画録音／再生装置に録画録音させかつ前記一時的な視聴の停止が解除された時点でその録画録音した放送映像及び音声を再生させる手段とを備えている。
【０００９】
本発明による第２の携帯情報端末は、放送映像及び音声の受信及び表示を行う機能を含む携帯情報端末であって、
前記放送映像及び音声の録画録音を行う録画録音／再生装置と、前記放送映像及び音声の一時的な視聴の停止を判定する判定手段と、前記判定手段の判定結果に応じて前記放送映像及び音声を表示させるための経路と前記放送映像及び音声を前記録画録音／再生装置に録画録音させるための経路とを切替える切替手段とを備え、
前記一時的な視聴の停止中の放送映像及び音声を前記録画録音／再生装置に録画録音し、前記一時的な視聴の停止が解除された時点でその録画録音した放送映像及び音声を再生している。
【００１０】
本発明による第３の携帯情報端末は、放送映像及び音声の受信及び表示を行う機能を含む携帯情報端末であって、
前記放送映像及び音声の録画録音を常時行う録画録音／再生装置を備え、
前記放送映像及び音声の一時的な視聴の停止が解除された時点で前記録画録音／再生装置に録画録音された放送映像及び音声を停止時点から再生させている。
【００１１】
本発明による第４の携帯情報端末は、放送映像及び音声の受信及び表示を行う機能を含む携帯情報端末であって、
前記放送映像及び音声の録画録音を行う常時録画録音／再生装置と、前記放送映像及び音声の一時的な視聴の停止を判定する判定手段と、前記判定手段の判定結果に応じて前記録画録音／再生装置に録画録音された放送映像及び音声を表示させるための経路に切替える切替手段とを備え、
前記一時的な視聴の停止が解除された時点で前記録画録音／再生装置に録画録音された放送映像及び音声を停止時点から再生させている。
【００１２】
本発明による第１の放送録画録音方法は、放送映像及び音声の受信及び表示を行う機能を含む携帯情報端末の放送録画録音方法であって、前記携帯情報端末側に、前記放送映像及び音声の一時的な視聴の停止中にその放送映像及び音声を録画録音／再生装置に録画録音させるステップと、前記一時的な視聴の停止が解除された時点でその録画録音した放送映像及び音声を再生させるステップとを備えている。
【００１３】
本発明による第２の放送録画録音方法は、放送映像及び音声の受信及び表示を行う機能を含む携帯情報端末の放送録画録音方法であって、前記携帯情報端末側に、前記放送映像及び音声の一時的な視聴の停止を判定するステップと、その判定結果に応じて前記放送映像及び音声を表示させるための経路と前記放送映像及び音声を録画録音／再生装置に録画録音させるための経路とを切替えるステップとを備え、
前記一時的な視聴の停止中の放送映像及び音声を前記録画録音／再生装置に録画録音し、前記一時的な視聴の停止が解除された時点でその録画録音した放送映像及び音声を再生している。
【００１４】
本発明による第３の放送録画録音方法は、放送映像及び音声の受信及び表示を行う機能を含む携帯情報端末の放送録画録音方法であって、前記携帯情報端末側に、前記放送映像及び音声の録画録音／再生装置への録画録音を常時行うステップと、前記放送映像及び音声の一時的な視聴の停止が解除された時点で前記録画録音／再生装置に録画録音された放送映像及び音声を停止時点から再生させるステップとを備えている。
【００１５】
本発明による第４の放送録画録音方法は、放送映像及び音声の受信及び表示を行う機能を含む携帯情報端末の放送録画録音方法であって、前記携帯情報端末側に、前記放送映像及び音声の録画録音／再生装置への録画録音を常時行うステップと、前記放送映像及び音声の一時的な視聴の停止を判定するステップと、その判定結果に応じて前記録画録音／再生装置に録画録音された放送映像及び音声を表示させるための経路に切替えるステップとを備え、前記一時的な視聴の停止が解除された時点で前記録画録音／再生装置に録画録音された放送映像及び音声を停止時点から再生させている。
【００１６】
本発明による第１の放送録画録音方法のプログラムは、
放送映像及び音声の受信及び表示を行う機能を含む携帯情報端末の放送録画録音方法のプログラムであって、前記携帯情報端末のコンピュータに、前記放送映像及び音声の一時的な視聴の停止中にその放送映像及び音声を録画録音／再生装置に録画録音させる処理と、前記一時的な視聴の停止が解除された時点でその録画録音した放送映像及び音声を再生させる処理とを実行させている。
【００１７】
本発明による第２の放送録画録音方法のプログラムは、放送映像及び音声の受信及び表示を行う機能を含む携帯情報端末の放送録画録音方法であって、前記携帯情報端末のコンピュータに、前記放送映像及び音声の一時的な視聴の停止を判定する処理と、その判定結果に応じて前記放送映像及び音声を表示させるための経路と前記放送映像及び音声を録画録音／再生装置に録画録音させるための経路とを切替える処理とを実行させ、前記一時的な視聴の停止中の放送映像及び音声を前記録画録音／再生装置に録画録音させ、前記一時的な視聴の停止が解除された時点でその録画録音した放送映像及び音声を再生させている。
【００１８】
本発明による第３の放送録画録音方法のプログラムは、放送映像及び音声の受信及び表示を行う機能を含む携帯情報端末の放送録画録音方法であって、前記携帯情報端末のコンピュータに、前記放送映像及び音声の録画録音／再生装置への録画録音を常時行う処理と、前記放送映像及び音声の一時的な視聴の停止が解除された時点で前記録画録音／再生装置に録画録音された放送映像及び音声を停止時点から再生させる処理とを実行させている。
【００１９】
本発明による第４の放送録画録音方法のプログラムは、放送映像及び音声の受信及び表示を行う機能を含む携帯情報端末の放送録画録音方法のプログラムであって、前記携帯情報端末のコンピュータに、前記放送映像及び音声の録画録音／再生装置への録画録音を常時行う処理と、前記放送映像及び音声の一時的な視聴の停止を判定する処理と、その判定結果に応じて前記録画録音／再生装置に録画録音された放送映像及び音声を表示させるための経路に切替える処理とを実行させ、前記一時的な視聴の停止が解除された時点で前記録画録音／再生装置に録画録音された放送映像及び音声を停止時点から再生させている。
【００２０】
すなわち、本発明の携帯移動電話機は、放送受信及び録画録音機能を備えた端末において、テレビまたはラジオ等の放送受信視聴中のメール着信、メール作成、アラーム時刻、電話着信等、視聴を一時的に停止する状況において、一時停止中に放送受信したデータの録画録音を行うことによって、一時停止中の情報の欠落を防ぐことが可能となる。
【００２１】
より具体的に説明すると、本発明の携帯移動電話機では、無線送受信部が携帯移動電話機の無線データの送受信を行い、制御部が無線送受信部を使用して携帯移動電話機の通信を制御している。音声通話装置は制御部及び無線送受信部を介して相手先と通信することによって音声通話を実現する。使用者操作部は使用者の操作を制御部に伝えることによって、携帯移動電話機としての機能である音声通話、テレビ等の放送の受信及び録画録音それぞれの機能を実現する。
【００２２】
放送受信部はテレビ等の放送電波の受信を行い、制御部を介して表示報知部に表示、報知する。録画録音／再生装置は制御部に制御される経路切替手段を介して放送受信部からの経路を開くことによって、受信映像の録画録音して記録することが可能となり、また記録した情報を制御部を介して表示報知部に表示、報知する。
【００２３】
このような構成の携帯移動電話機においては、テレビ等の放送視聴中、着信等による一時的な視聴の停止があった場合、一時停止中のテレビ等の放送画像を録画録音／再生装置にて録画録音し、一時停止が解除された時点でその録画録音した放送画像を再生する。
【００２４】
これによって、本発明の携帯移動電話機では、通話等による一時停止中に、テレビ等の放送画像を録画録音／再生装置を使用して録画録音しているので、使用者の情報の欠落を防ぐことが可能となる。
【発明の効果】
【００２５】
本発明は、以下に述べるような構成及び動作とすることで、テレビ等の放送視聴中に着信等による一時的に視聴を停止する場合でも、一時停止中の情報の欠落を防ぐことができるという効果が得られる。
【発明を実施するための最良の形態】
【００２６】
次に、本発明の実施の形態について図面を参照して説明する。図１は本発明の実施の形態による携帯移動電話機の構成を示すブロック図である。図１において、携帯移動電話機１は無線送受信部１１と、制御部１２と、放送受信部１３と、表示報知部１４と、使用者操作部１５と、録画録音／再生装置１６と、音声通話装置１７と、経路切替手段１８と、記録媒体１９とから構成されている。
【００２７】
無線送受信部１１は携帯移動電話機１の無線データの送受信を行い、制御部１２は無線送受信部１１を使用して携帯移動電話機１の通信を制御する。音声通話装置１７は制御部１２及び無線送受信部１１を介して相手先と通信することによって、音声通話を実現する。使用者操作部１５は使用者の操作を制御部１２に伝えることによって、携帯移動電話機１としての機能である音声通話、テレビ等の放送の受信及び録画録音それぞれの機能を実現する。
【００２８】
放送受信部１３はテレビ等の放送電波の受信を行い、その映像や音声を制御部１２及び経路切替手段１８を介して表示報知部１４に表示、報知する。録画録音／再生装置１６は制御部１２及び経路切替手段１８を介して放送受信部１３からの経路を開くことによって、受信映像や音声を録画録音して記録することができ、また記録した情報を制御部１２及び経路切替手段１８を介して表示報知部１４に表示、報知する。
【００２９】
経路切替手段１８は制御部１２の制御に応じて、放送受信部１３からの映像や音声を表示報知部１４に渡す経路と、放送受信部１３からの映像や音声を録画録音／再生装置１６に渡す経路と、録画録音／再生装置１６に録画録音された映像や音声を表示報知部１４に渡す経路とを切替える。
【００３０】
すなわち、経路切替手段１８は制御部１２から放送視聴中の一時停止であるか否かの情報を受取り、放送受信部１３からの信号を表示報知部１４に表示、報知するか、または録画録音／再生装置１６にて記録するかの経路を切替える。尚、記録媒体１９は制御部１２が実行するプログラム（コンピュータで実行可能なプログラム）を格納している。
【００３１】
放送受信部１３はテレビ等の放送電波の受信を行い、一時停止中以外は、経路切替手段１８を介して表示報知部１４にテレビ等の放送受信を表示、報知し、一時停止中は、経路切替手段１８を介して録画録音／再生装置１６に記録を行う。録画録音／再生装置１６は制御部１２からの指示にしたがってテレビ等の放送受信の録画録音及び再生を行い、再生時には経路切替手段１８を介して表示報知部１４に再生データの表示、報知を行う。
【００３２】
本発明の実施の形態では、携帯移動電話機１を上記のような構成とし、テレビ等の放送視聴中に、着信等による一時的な視聴の停止があった場合、一時停止中のテレビ等の放送画像を録画録音／再生装置１６にて録画録音し、一時停止が解除された時点で再生している。
【００３３】
これによって、本発明の実施の形態では、通話等による一時停止中に、テレビ等の放送画像を録画録音／再生装置１６を使用して録画録音しているので、一時停止中における使用者の情報の欠落を防ぐことができる。
【００３４】
尚、上述した無線送受信部１１と、使用者操作部１５と、音声通話装置１７とはそれぞれ当業者にとってよく知られており、また本発明とは直接関係しないので、その詳細な構成の説明については省略する。
【実施例１】
【００３５】
本発明の一実施例による携帯移動電話機は上記の図１に示す本発明の実施の形態による携帯移動電話機１と同様の構成となっているので、その構成についての説明は省略する。
【００３６】
図２は本発明の一実施例による経路切替手段の構成を示す図である。図２において、放送受信データ１０１は放送受信部１３が受信したテレビ等の受信データである。一般表示データ１０２は制御部１２より送られる表示データである。再生データ１０３は録画録音／再生装置１６にて記録されたデータを再生したデータである。
【００３７】
切替制御１０４は制御部１２から場合に応じた表示及び録画録音データを切替えるための制御信号である。表示／報知用データ１０５は表示報知部１４へ送られる表示、報知情報である。録画録音用データ１０６は録画録音／再生装置１６にて記録を行うためのデータである。
【００３８】
経路切替手段１８は放送受信データ１０１と、一般表示データ１０２と、再生データ１０３とを切替制御１０４によって切替えることで、使用者の状況に応じた表示／報知用データ１０５や録画録音用データ１０６を出力する。
【００３９】
図３は本発明の一実施例による経路切替処理を示すフローチャートである。これら図１〜図３を参照して本発明の一実施例による経路切替処理について説明する。尚、図３に示す処理は制御部１２が記録媒体１９のプログラムを実行して経路切替手段１８を制御することで、つまりソフトウェアで実現されるが、ハードウェアにても実現可能である。
【００４０】
制御部１２は通常の放送視聴時（図３ステップＳ１）、放送受信データ１０１を経路切替手段１８から表示／報知用データ１０５として出力する（図３ステップＳ３）。また、制御部１２は通常の放送視聴時でなければ（図３ステップＳ１）、一般表示データ１０２を経路切替手段１８から表示／報知用データ１０５として出力する（図３ステップＳ２）。
【００４１】
制御部１２は放送視聴中に通話等による一時停止の状態となった場合（図３ステップＳ４）、放送受信データ１０１を経路切替手段１８から録画録音用データ１０６として出力し、一般表示データ１０２を経路切替手段１８から表示／報知用データ１０５として出力する（図３ステップＳ５）。
【００４２】
また、制御部１２は一時停止が解除された場合（図３ステップＳ６）、使用者から一時停止中の録画録音データ再生が指示されると（図３ステップＳ７）、録画録音／再生装置１６からの再生データ１０３を経路切替手段２８から表示／報知用データ１０５として出力する（図３ステップＳ８）。
【００４３】
このように、本実施例では、テレビ等の放送視聴中に、着信等によって一時的に視聴を停止するような場合でも、放送受信データ１０１を録画録音／再生装置１６に録画録音しているので、一時停止中における使用者の情報の欠落を防ぐことができる。
【実施例２】
【００４４】
図４は本発明の他の実施例による携帯移動電話機の構成を示すブロック図である。図４において、携帯移動電話機２は無線送受信部２１と、制御部２２と、放送受信部２３と、表示報知部２４と、使用者操作部２５と、録画録音／再生装置２６と、音声通話装置２７と、経路切替手段２８と、記録媒体２９とから構成されている。
【００４５】
本実施例は放送受信部２３からの映像や音声を経路切替手段２８によって表示報知部２４に表示、報知しているのではなく、常に録画録音／再生装置２６を介して表示報知部２４に表示、報知している。
【００４６】
無線送受信部２１は携帯移動電話機２の無線データの送受信を行い、制御部２２は無線送受信部２１を使用して携帯移動電話機２の相手先への通信を制御する。音声通話装置２６は制御部２２及び無線送受信部２１を介して相手先との通信すを行うことによって、音声通話を実現する。
【００４７】
使用者操作部２５は使用者の操作を制御部２２に伝えることによって、携帯移動電話機２としての機能である音声通話、テレビ等の放送の受像及び録画録音の機能を実現する。放送受信部２３はテレビ等の放送電波の受信を行い、受信データを録画録音／再生装置２６に送る。録画録音／再生装置２６はテレビ等の放送受信中、放送受信部２３からのデータを常に記録し、記録したデータを順次再生する。
【００４８】
経路切替手段２８は制御部２２から視聴の一時停止中であるか否かの情報を受取り、録画録音／再生装置２６からの再生データ、または制御部２２からの一般表示データのいずれかを、表示報知部２４に表示、報知するかを選択する。尚、記録媒体２９は制御部２２が実行するプログラム（コンピュータで実行可能なプログラム）を格納している。
【００４９】
図５は本発明の他の実施例による放送受信データ録画録音及び再生処理を示すタイムチャートである。図５において、２０１は実際のテレビ等の放送受信データである。本実施例の携帯移動電話機２においては、テレビ等の放送の受信中は常に録画録音／再生装置２６への録画録音を行い、録画録音データを順次再生することによってテレビ等の放送画像を表示している。
【００５０】
よって、本実施例では、図５の２０３に示すように、テレビ等の放送視聴中に通話等を行った場合、再生を一時停止しているため、２０２の再生データのように、通話終了後に、通話開始前の続きから再生を開始することができる。
【００５１】
図６は本発明の他の実施例による経路切替処理を示すフローチャートである。これら図４〜図６を参照して本発明の他の実施例による経路切替処理について説明する。尚、図６に示す処理は制御部２２が記録媒体２９のプログラムを実行して経路切替手段２８を制御することで、つまりソフトウェアで実現されるが、ハードウェアにても実現可能である。
【００５２】
制御部２２は通常の放送視聴時（図６ステップＳ１１）、放送受信部２３からの放送受信データ２０１を常に録画録音／再生装置２６に録画録音しており（図６ステップＳ１３）、録画録音／再生装置２６からの再生データ２０２を経路切替手段２８から表示／報知用データとして出力する（図６ステップＳ１４）。また、制御部２２は通常の放送視聴時でなければ（図６ステップＳ１１）、一般表示データを経路切替手段２８から表示／報知用データとして出力する（図６ステップＳ１２）。
【００５３】
制御部２２は放送視聴中に通話等による一時停止の状態となった場合（図６ステップＳ１５）、一般表示データを経路切替手段２８から表示／報知用データとして出力する（図６ステップＳ１６）。
【００５４】
また、制御部２２は一時停止が解除された場合（図６ステップＳ１７）、録画録音／再生装置１６からの再生データ２０２を経路切替手段２８から表示／報知用データとして出力する（図６ステップＳ１８）。
【００５５】
このように、本実施例の携帯移動電話機２においては、録画録音／再生装置２６が通話等における再生を一時停止し、終了後に再生を開始することによって、通話等の発生で欠落した放送受信部２３からの情報を、継続して視聴することができる。
【産業上の利用可能性】
【００５６】
本発明は、携帯移動電話機以外にも、放送受信やその録画録音／再生と電子メールの送受信等の通信が可能であれば、ＰＤＡ（Ｐｅｒｓｏｎａｌ  Ｄｉｇｉｔａｌ  Ａｓｓｉｓｔａｎｔ）等の携帯端末にも適用可能である。
【図面の簡単な説明】
【００５７】
【図１】本発明の実施の形態による携帯移動電話機の構成を示すブロック図である。
【図２】本発明の一実施例による経路切替手段の構成を示す図である。
【図３】本発明の一実施例による経路切替処理を示すフローチャートである。
【図４】本発明の他の実施例による携帯移動電話機の構成を示すブロック図である。
【図５】本発明の他の実施例による放送受信データ録画録音及び再生処理を示すタイムチャートである。
【図６】本発明の他の実施例による経路切替処理を示すフローチャートである。
【図７】従来例による携帯移動電話機の構成を示すブロック図である。
【符号の説明】
【００５８】
１，２  携帯移動電話機
１１，２１  無線送受信部
１２，２２  制御部
１３，２３  放送受信部
１４，２４  表示報知部
１５，２５  使用者操作部
１６，２６  録画録音／再生装置
１７，２７  音声通話装置
１８，２８  経路切替手段
１９，２９  記録媒体
１０１，２０１  放送受信データ
１０２  一般表示データ
１０３，２０２  再生データ
１０４  切替制御
１０５  表示／報知用データ
１０６  録画録音用データ
【図１】
2005123756.tif 000003
【図２】
2005123756.tif 000004
【図３】
2005123756.tif 000005
【図４】
2005123756.tif 000006
【図５】
2005123756.tif 000007
【図６】
2005123756.tif 000008
【図７】
2005123756.tif 000009